(57)【要約】【課題】２ウェイスピーカ装置の音質の制御性を改善するとともに、音声を壁面で反射させても明瞭さを維持でき、かつ筐体のデザインの自由度が高いスピーカ装置を提供する。【解決手段】入力されたオーディオ信号の可聴周波数帯域から中音域成分信号を取り出す第１フィルタ、中音域以外の低音域成分信号および高音域成分信号を取り出す第２フィルタを備え、第２フィルタから出力された信号を放音する第１スピーカユニット、および、第１フィルタから出力された信号を放音する第２スピーカユニットを備えた。これにより、２ウェイのスピーカ装置で、高音域、中音域、低音域を分離することができ、独立したゲイン調整等が容易になる。【選択図】図１
2015029163.tif 000002
【特許請求の範囲】
【請求項１】
入力されたオーディオ信号の可聴周波数帯域から、人声を含む中音域成分信号を取り出す第１フィルタと、
前記中音域成分信号以外の低音域成分信号および高音域成分信号を取り出す第２フィルタと、
前記第１フィルタから出力された信号を放音する第２スピーカユニットと、
前記第２フィルタから出力された信号を放音する第１スピーカユニットと、
を備えたスピーカ装置。
【請求項２】
前記第２スピーカユニットとして、前記低音域の放音特性が抑制された中音域用スピーカを用い、
前記第１フィルタは、前記低音域成分を含む前記中音域以下の信号成分を取り出すローパスフィルタである
請求項１に記載のスピーカ装置。
【請求項３】
前記第２スピーカユニットが、装置の前面方向に音声を放音するよう設置され、前記第１スピーカユニットが、装置の背面方向に音声を放音するよう設置されている請求項１または請求項２に記載のスピーカ装置。
【請求項４】
前記オーディオ信号は、左右チャンネルのステレオ信号であり、
前記第１スピーカユニットとして、左右チャンネル別々に左右の第１スピーカユニットを設けるとともに、
前記第２スピーカユニットとして、左右チャンネル共通に中央の第２スピーカユニットを設け、該中央の第２スピーカユニットに、合成された左右チャンネルの信号が入力される
請求項３に記載のスピーカ装置。
【請求項５】
背面および上面に開口部を有する柱状の筐体を有し、
前記背面の開口部に前記左右の第１スピーカユニットが設けられ、
前記上面の開口部に前記中央の第２スピーカユニットが設けられ、
さらに、前記第２スピーカユニットの上方に設けられ、前記第２スピーカユニットから放音された音声を、前記筐体の前面側に反射するリフレクタを備えた
請求項４に記載のスピーカ装置。
【請求項６】
前記筐体は、その内部が上下方向に、前記上面の開口部を含み、前記第２スピーカユニットを収容する上層ボックス、前記背面の開口部を含み、前記左右の第１スピーカユニットを収容する中層ボックス、および、前記第１乃至第３フィルタを含む電子回路を収容する下層ボックスを含む複数の層に区切られている請求項５に記載のスピーカ装置。
【発明の詳細な説明】
【技術分野】
【０００１】
本発明は、帯域毎の音声信号処理を改善したスピーカ装置に関する。
【背景技術】
【０００２】
一般に２ウェイスピーカ装置は、中低音用スピーカユニットと高音用スピーカユニットで構成される（たとえば特許文献１参照）。このスピーカ装置では、低音域の音声と中音域の音声が同じスピーカユニットから放音される、また、帯域別にオーディオ・アンプが分離されている場合でも同じオーディオ・アンプで増幅される。このため、低音域をブーストするなどの音質調整をした場合、中音域もこの調整の影響を受けて、若干ブーストされ、完全に帯域を切り離した制御をすることが困難である。また、低音域の影響を受けて中音域もブーストされてしまうと、オーディオ・アンプに大きな負荷がかかってしまう。
【０００３】
一方、前面のデザイン性を重視するなどの目的で、スピーカを背面に設けることも考えられる。たとえば、四角柱状の細長い筐体の四側面すべてに複数のスピーカユニットが設けられ、筐体を直立させて設置するスピーカ装置が開示されている（例えば、特許文献２参照）。このスピーカ装置は、各スピーカユニットがオーディオ信号を出力するタイミングを遅延・調整して、指向性を持たせた音波である音声ビームを出力する。このスピーカ装置は、音声ビームを部屋の床や天井の方向に出力して複数回反射させるので、間接音が多くの方向から聴取者に到達することになる。これにより、聴取者にスピーカ装置の明確な位置を感じさせないという効果が得られる。
【先行技術文献】
【特許文献】
【０００４】
【特許文献１】特開平１１−０５５７８０号公報
【０００５】
【特許文献２】特開２００７−３７０５８号公報
【発明の概要】
【発明が解決しようとする課題】
【０００６】
特許文献２に記載のスピーカ装置を、例えば部屋のコーナーに置き、このコーナーの壁に対向するスピーカユニットから音声を放音させると、部屋のコーナーにおいて中音域がこもって音声が不明瞭になるという問題がある。また、特許文献２に記載のスピーカ装置は、前記のように筐体の四側面すべてに複数のスピーカユニットが設けられているので装飾などを施すことができず、そのデザインが制限されてしまうという問題がある。
【０００７】
そこで、本発明は、２ウェイスピーカ装置の音質の制御性を改善するとともに、音声を壁面で反射させても明瞭さを維持でき、かつ筐体のデザインの自由度が高いスピーカ装置を提供することを目的とする。
【課題を解決するための手段】
【０００８】
この発明のスピーカ装置は、入力されたオーディオ信号の可聴周波数帯域から、人声を含む中音域成分信号を取り出す第１フィルタと、中音域成分信号以外の低音域成分信号および高音域成分信号を取り出す第２フィルタと、第１フィルタから出力された信号を放音する第２スピーカユニットと、第２フィルタから出力された信号を放音する第１スピーカユニットと、を備えたことを特徴としている。
【０００９】
この発明では、低音域成分信号と高音域成分信号を同じ第１スピーカユニットから放音する。そして、中音域成分信号は、低音域成分信号とは別の第２スピーカユニットから放音する。これにより、２ウェイのスピーカ装置で、高音域、中音域、低音域を分離することができ、隣接した音域に影響を与えない独立したゲイン調整等が容易になる。
【００１０】
また、第２スピーカユニットとして、低音域の放音特性が抑制された中音域用スピーカを用い、第１フィルタを、低音域成分を含む中音域以下の信号成分を取り出すローパスフィルタとしてもよい。
【００１１】
上記発明において、第２スピーカユニットが、装置の前面方向に音声を放音するよう設置され、第１スピーカユニットが、装置の背面方向の反射を用い音声を放音するよう設置されてもよい。
【００１２】
この発明において、背面方向に放音された第１スピーカユニットの音声は壁面で反射して部屋に伝搬するが、第２のスピーカユニットが中音域成分を前方に向けて放音するため音がこもることがない。
【００１３】
上記発明において、オーディオ信号として左右チャンネルのステレオ信号を入力し、左右チャンネル別々に左右の第１スピーカユニットを設けるとともに、左右チャンネル共通に中央の第２スピーカユニットを設け、中央の第２スピーカユニットに合成された（中音域の）信号が入力されるようにしてもよい。
【００１４】
また、この発明は、上記発明において、背面および上面に開口部を有する柱状の筐体を有し、背面の開口部に左右の第１スピーカユニットが設けられ、上面の開口部に中央の第２スピーカユニットが設けられ、さらに、第２スピーカユニットの上方に設けられ第２スピーカユニットから放音された音声を筐体の前面側に反射するリフレクタを備えたことを特徴とする。
【００１５】
この発明において、筐体を以下の上下三層構造にしてもよい。上面の開口部を含み第２スピーカユニットを収容する上層ボックス、背面の開口部を含み左右の第１スピーカユニットを収容する中層ボックス、および、第１〜第３フィルタを含む電子回路を収容する下層ボックス。
【発明の効果】
【００１６】
この発明によれば、２ウェイスピーカ装置の音質の制御性を改善するとともに、音声を壁面で反射させても明瞭さを維持でき、かつ筐体のデザインの自由度が高いスピーカ装置を実現することが可能になる。
【図面の簡単な説明】
【００１７】
【図１】この発明の実施形態に係るスピーカ装置のブロック図
【図２】スピーカ装置に設けられたフィルタの特性を示す図
【図３】スピーカ装置をステレオ構成にした場合の外観図
【図４】この発明の第２の実施形態に係るスピーカ装置の構造図
【図５】図４のスピーカ装置のブロック図
【図６】この発明の第３の実施形態に係るスピーカ装置の外観図
【図７】図６のスピーカ装置の上端に設けられるヘッドピースの斜視図
【図８】図６のスピーカ装置の設置形態の例を示す図
【図９】図６のスピーカ装置の電子回路のブロック図
【発明を実施するための形態】
【００１８】
図面を参照して本発明の実施形態であるスピーカ装置について説明する。図１〜図３は、本発明の第１実施形態を説明する図である。図１はスピーカ装置のブロック図、図２はフィルタの特性を示す図、図３は２台のスピーカ装置を用いてステレオ構成にした形態を示す図である。
【００１９】
スピーカ装置２００は、低音域と高音域の放音を担当するフルレンジのスピーカユニット２１０、および、中音域の放音を担当するミッドレンジ用のスピーカユニット２１１を有している。ここで、中音域は主として人の声をカバーする周波数帯域であり、例えば１００Ｈｚ〜７０００Ｈｚの範囲である。なお、中音域はこれに限定されない。たとえば、電話回線の使用帯域である３００〜３４００Ｈｚとしてもよい。高音域は中音域よりも高い周波数帯域、低音域は中音域よりも低い周波数帯域である。以下、中音域の下限周波数をＦＬと呼び、中音域の上限周波数をＦＨと呼ぶ。
【００２０】
図１のブロック図において、スピーカ装置２００は、オーディオ信号入力部２１２、信号処理部２０１、スピーカ駆動部２０２、および、スピーカユニット２１０、２１１を有している。信号処理部２０１は、ローパスフィルタ２２０，２２７、ハイパスフィルタ２２１、ゲイン調整部２２３，２２４，２２８、および、加算器２２５を有している。また、スピーカ駆動部２０２は、アンプ２２６，２２９を有している。
【００２１】
オーディオ信号入力部２１２は、オーディオ信号を入力し、ローパスフィルタ２２０，２２７、および、ハイパスフィルタ２２１に供給する。ローパスフィルタ２２７は、中音域の上限周波数ＦＨ以下の信号を通過させるフィルタである。ローパスフィルタ２２７の周波数特性を図２（Ａ）に示す。ローパスフィルタ２２７を通過したオーディオ信号は、ゲイン調整部２２８でゲインが調整され、アンプ２２９で増幅されてスピーカユニット２１１に供給される。ローパスフィルタ２２７から出力されたオーディオ信号には低音域の成分も含まれ、この信号がスピーカユニット２１１に供給されるが、スピーカユニット２１１がミッドレンジ用のスピーカユニットで、図２（Ａ）の点線に示すように低音域が出ない特性であるため、スピーカユニット２１１から放音される音声は、図２（Ａ）のフィルタ特性を点線で修正したような中音域の音声である。なお、ローパスフィルタ２２７は、中音域のバンドパスフィルタでもよい。ゲイン調整部２２８は、ローパスフィルタ２２７に含まれていてもよい。
【００２２】
ローパスフィルタ２２０は、中音域の下限周波数ＦＬ以下の信号を通過させるフィルタである。ローパスフィルタ２２０の周波数特性を図２（Ｂ）に示す。左側の曲線ＬＰＦがローパスフィルタ２２０の特性である。ローパスフィルタ２２０を通過した低音域のオーディオ信号は、ゲイン調整部２２３でゲインが調整されたのち加算器２２５に入力される。ハイパスフィルタ２２１は、中音域の上限周波数ＦＨ以上の信号を通過させるフィルタである。ハイパスフィルタの周波数特性を図２（Ｂ）に示す。右側の曲線ＨＰＦがハイパスフィルタ２２１の特性である。ハイパスフィルタ２２１を通過した高音域のオーディオ信号は、ゲイン調整部２２４でゲインが調整されたのち加算器２２５に入力される。加算器２２５は、低音域のオーディオ信号および高音域のオーディオ信号を加算合成する。この加算合成されたオーディオ信号は、アンプ２２６で増幅されてスピーカユニット２１０に供給される。なお、ゲイン調整部２２３、２２４は、それぞれローパスフィルタ２２０、ハイパスフィルタ２２１に含まれていてもよい。
【００２３】
このように、低音域の成分信号と高音域の成分信号を同じアンプで増幅して同じスピーカユニット２１０から放音するとともに、中音域の成分信号を低音域の成分信号と別のアンプで増幅し別のスピーカユニットから放音することにより、２ウェイのスピーカ装置で、高音域、中音域、低音域を分離することができ、独立したゲイン調整が容易になる。また、例えば低音域をブーストする場合、中低音／高音で系統を分ける従来のスピーカ装置では、中音域も低音域のブーストの影響を受けてゲインが上昇してしまい、中音域の音質が変化するうえ、中低音を増幅するアンプに負担を掛けることになるが、図１〜３に示したスピーカ装置２００では、低音域をブーストしても中音域に影響を与えることがなく、音質が変化したり、スピーカユニットに負担を掛けることがない。
【００２４】
なお、この実施形態において、スピーカユニット２１０を装置の背面に設けてもよい。
【００２５】
図３は、図１に示したスピーカ装置２００を２台用いてステレオ構成にした形態を示した図である。このステレオスピーカシステムは、左チャンネルのスピーカ装置２００Ｌと右チャンネルのスピーカ装置２００Ｒからなる。また、図４は、図１〜図３に示した２ウェイスピーカの帯域分離の方式を用いて構成された一体型のステレオスピーカ装置２０５を示す図である。
【００２６】
図４のスピーカ装置２０５は、前面に１つの中音域用のスピーカユニット２１１Ｃ、背面に２つ（左右チャンネル）のフルレンジスピーカユニット２１０Ｌ、２１０Ｒを備えている。なお、図４では、前面の中音域用のスピーカユニット２１１Ｃは、スピーカユニット自体が前方に向けて設けられているが、スピーカユニットの設置方向は前向きに限定されない。例えば、スピーカユニットを上向きに設置し、放音された音波を前方に反射させるリフレクタを設けてもよい。
【００２７】
図５は、図４に示したスピーカ装置２０５のブロック図である。このブロック図において、信号処理部２０１は、ローパスフィルタ２２０Ｌ，２２０Ｒ，２２７Ｌ，２２７Ｒ、ハイパスフィルタ２２１Ｌ，２２１Ｒ、ゲイン調整部２２３Ｌ，２２３Ｒ，２２４Ｌ，２２４Ｒ，２２８Ｌ，２２８Ｒ、および、加算器２２５Ｌ，２２５Ｒ，２３０Ｃを有している。また、スピーカ駆動部２０２は、アンプ２２６Ｌ，２２６Ｒ，２２９Ｃを有している。
【００２８】
左チャンネルオーディオ信号入力部２１２Ｌは、左チャンネルのオーディオ信号を入力し、ローパスフィルタ２２０Ｌ，２２７Ｌ、および、ハイパスフィルタ２２１Ｌに供給する。ローパスフィルタ２２０Ｌは、中音域の下限周波数ＦＬ以下の信号を通過させるフィルタである。ローパスフィルタ２２０Ｌを通過した低音域のオーディオ信号は、ゲイン調整部２２３Ｌでゲインが調整されたのち加算器２２５Ｌに入力される。ハイパスフィルタ２２１Ｌは、中音域の上限周波数ＦＨ以上の信号を通過させるフィルタである。ハイパスフィルタ２２１Ｌを通過した高音域のオーディオ信号は、ゲイン調整部２２４Ｌでゲインが調整されたのち加算器２２５Ｌに入力される。加算器２２５Ｌは、左チャンネルの低音域および高音域のオーディオ信号を加算合成する。この加算合成された  オーディオ信号は、アンプ２２６Ｌで増幅されてスピーカユニット２１０Ｌに供給される。なお、ゲイン調整部２２３Ｌ、２２４Ｌは、それぞれローパスフィルタ２２０Ｌ、ハイパスフィルタ２２１Ｌに含まれていてもよい。
【００２９】
右チャンネルオーディオ信号入力部２１２Ｒは、右チャンネルのオーディオ信号を入力し、ローパスフィルタ２２０Ｒ，２２７Ｒ、および、ハイパスフィルタ２２１Ｒに供給する。
【００３０】
ローパスフィルタ２２０Ｒは、中音域の下限周波数ＦＬ以下の信号を通過させるフィルタである。ローパスフィルタ２２０Ｒを通過した低音域のオーディオ信号は、ゲイン調整部２２３Ｒでゲインが調整されたのち加算器２２５Ｒに入力される。ハイパスフィルタ２２１Ｒは、中音域の上限周波数ＦＨ以上の信号を通過させるフィルタである。ハイパスフィルタ２２１Ｒを通過した高音域のオーディオ信号は、ゲイン調整部２２４Ｒでゲインが調整されたのち加算器２２５Ｒに入力される。加算器２２５Ｒは、左チャンネルの低音域および高音域のオーディオ信号を加算合成する。この加算合成された  オーディオ信号は、アンプ２２６Ｒで増幅されてスピーカユニット２１０Ｒに供給される。なお、ゲイン調整部２２３Ｒ、２２４Ｒは、それぞれローパスフィルタ２２０Ｒ、ハイパスフィルタ２２１Ｒに含まれていてもよい。
【００３１】
また、左チャンネルのローパスフィルタ２２７Ｌは、中音域の上限周波数ＦＨ以下の信号を通過させるフィルタである。ローパスフィルタ２２７Ｌを通過したオーディオ信号は、ゲイン調整部２２８Ｌでゲインが調整され、加算器２３０Ｃに入力される。右チャンネルのローパスフィルタ２２７Ｒは、中音域の上限周波数ＦＨ以下の信号を通過させるフィルタである。ローパスフィルタ２２７Ｒを通過したオーディオ信号は、ゲイン調整部２２８Ｒでゲインが調整され、加算器２３０Ｃに入力される。加算器２３０Ｃは、加算器２３０Ｃは、左右チャンネルの中音域のオーディオ信号を加算合成する。この加算合成された  オーディオ信号は、アンプ２２９Ｃで増幅されてスピーカユニット２１１Ｃに供給される。なお、ゲイン調整部２２８Ｌ、２２８Ｒは、それぞれローパスフィルタ２２７Ｌ、ローパスフィルタ２２７Ｒに含まれていてもよい。
【００３２】
ローパスフィルタ２２７Ｌ、Ｒから出力されたオーディオ信号には低音域の成分も含まれるが、スピーカユニット２１１Ｃがミッドレンジ用のスピーカユニットで低音域の音声がでない特性であるため、スピーカユニット２１１Ｃから放音される音声は、上述の図２（Ａ）のフィルタ特性を点線のスピーカ特性で修正した中音域の音声である。なお、ローパスフィルタ２２７Ｌ、Ｒは、中音域のバンドパスフィルタでもよい。
【００３３】
図４、図５のような一体型ステレオスピーカの構成にし、前面の１つのスピーカユニット２１１Ｃから左右チャンネル合成された中音域の音声を放音し、背面の２つのスピーカユニット２１０Ｌ、２１０Ｒから低音域および高音域の音声を左右チャンネル別々に放音することにより、このスピーカ装置は、図１〜図３のスピーカ装置の特徴に加えて以下のような特徴を備える。
【００３４】
前面に小さいスピーカユニットが１つであるため、また上向きに設ければ前面のスピーカが無しであるため、前面のデザイン性を良くすることができる。
背面には大型のスピーカユニットを設けることが可能であるため、前面のデザイン性を損ねることなく音質のよい低音を放音することができる。
高音域を背面の２つのスピーカユニットから放音することにより、壁の反射を用いて左右のステレオ感を出すことができる。
前面のスピーカユニットから、人の声などの中音域を放音することにより、こもりのないクリアな聴感を実現することができる。
【００３５】
なお、図４、図５に示した実施形態では、中音域用のスピーカユニット２１１Ｃを前面に１つ設けたが、中音域のステレオ感を強調したい場合などには、前面に左右チャンネル用の中音域用スピーカユニットをそれぞれ設けてもよい。
【００３６】
以下、図面を参照して本発明の第３実施形態に係るスピーカ装置について説明する。このスピーカ装置１は、図４，図５に示したスピーカ装置２０５を縦長にして、前面のスピーカユニット２１１Ｃを筐体の上方に上向きに設けた形状をしている。図６は、このスピーカ装置１の外観図であり、図６（Ａ）が正面図、図６（Ｂ）が右側面図、図６（Ｃ）が背面図である。
【００３７】
スピーカ装置１は、複数のスピーカが収容される筐体１１、筺体１１を床面から支持する円板状のベース１４、および、筺体１１とベース１４とを接続する棒状のピロー１３を備えている。筐体１１は、ピロー１３およびベース１４によって支持されて鉛直方向に立設される。
【００３８】
筐体１１は、略四角柱の形状をなしており、上方向に向けて若干幅が狭まっている。すなわち、正確には四角錐台形状（四角錐の頂点側（頭部）を底面に平行な面で水平に切削した形状）である。筐体１１の側面は、鉛直線に対して２パーセント傾斜している。スピーカ装置１は、２つの側面に挟まれる稜線部１９を正面（ユーザ方向）にして設置される。以下の説明では、正面方向を前方、背面方向を後方と呼ぶ。また、左右の方向は、正面方向のユーザからスピーカ装置１を見たときの方向を用いる。
【００３９】
このスピーカ装置１では、図１（Ｂ），（Ｃ）に示されるように、スピーカユニット２１０Ｌ、Ｒが後ろ向きに設けられており、筺体１１の背面側にスピーカグリル１２が設けられている。これにより、スピーカ装置１の正面側には、スピーカグリル１２を設ける必要がなくなる。
【００４０】
筐体１１の内部は、２枚の仕切り板によって仕切られており、上下方向に３つの空間を有する構造になっている。上部の空間がスピーカユニット２１１Ｃを収容する中音域用スピーカボックス３０、中央部の空間がスピーカユニット２１０Ｌ、Ｒを収容するステレオスピーカボックス３１、下部の空間が電子回路１５を収容する回路ボックス３２として用いられる。
【００４１】
また、中音域用スピーカボックス３０は上面に開口しており、この開口部にスピーカユニット２１１Ｃが上向きに取り付けられている。スピーカユニット２１１Ｃのさらに上には、スピーカユニット２１１Ｃから放音された音声を前方に反射するヘッドピース１０が設けられている。
【００４２】
図７は、ヘッドピースの斜視図である。ヘッドピース１０は、放音口１１０を有する上部の本体部１０１と、本体部１０１の上面に配置された天板１０２と、下部のスカート１０６を備えている。本体部１０１の形状は略立方体である。ヘッドピース１０の底板１０３には、その中央部に円形の開口部１０３Ａが形成されている。開口部１０３Ａの口径は、スピーカユニット２１１Ｃの口径とほぼ同じである。
【００４３】
本体部１０１の内側には、背板１０４である２つの側面１１３，１１４に挟まれた辺の下側の頂点１０５Ｃと、放音口１１０である（切り欠かかれた）２つの側面１１１、１１２の上辺とをつなぐ２つの三角形の面であるリフレクタ１０５（１０５Ａ，１０５Ｂ）が形成されている。本体部１０１は略立方体であるため、リフレクタ１０５の左右の面１０５Ａ、１０５Ｂは、それぞれ底板１０３などの水平面に対して約４５度の角度をなしている。
【００４４】
スピーカユニット２１１Ｃの放音面は、ヘッドピース１０の下方かつ同じ中心軸で真上に向けて設置されている。また、ヘッドピース１０のリフレクタ１０５の面は、スピーカユニット２１１Ｃの放音面に対向して配置され、その傾斜角度は約４５度である。そのため、スピーカユニット２１１Ｃから上方向に放音された音声は、図７に示す矢印１３０のようにリフレクタ１０５で反射されて左右の斜め前方に広がるように伝搬される。これにより、スピーカユニット２１１Ｃから音声が上向きに放音されても、リフレクタ１０５で反射されて筐体１１側面の前面側から前方左右方向に、損失少なく伝搬することが可能になる。
【００４５】
図８は、スピーカ装置１の設置形態の一例を示す図である。スピーカ装置１は、部屋の隅（例えばコーナー）に壁を背にして設置される。正面側には、スピーカユニットやスピーカグリルがないるため、一般のスピーカ装置とは異なり装飾的なインテリアとしても機能する。
【００４６】
スピーカ装置１に音声信号が入力されたとき、スピーカユニット２１０Ｌ、Ｒから、左右チャンネルの音声がそれぞれ放音される。スピーカユニット２１０Ｌ、Ｒは背面方向（壁向きに）設けられているため、スピーカユニット２１０Ｌ、Ｒから放音された左右チャンネルの音声は、壁面で反射して前方（室内方向）に伝搬する。スピーカユニット２１０Ｌ、Ｒから放音された音声のうち、高音域の音声は直進性が強いため壁で良く反射し、聴取者にステレオ感を与えることに寄与する。また、低音域の音声は聴感上定位感が強くないため、壁面付近で鳴っているように聴こえてもユーザ（聴取者）にとって違和感が少ない。一方、中音域の音声は、人の話し声や歌声を含む音域であり、壁面で反射させると減衰が大きく、いわゆる「こもり」となって音声の明瞭度を低下させてしまう。そこで、このスピーカ装置１は、左右チャンネルの音声から中音域の成分を抽出し、この中音域の音声を上向きのスピーカユニット２１１Ｃから放音する。スピーカユニット２１１Ｃは上向きであるが、その上に設けられているヘッドピース１０により、放音された中音域の音声は良好に前方に伝搬する。これにより、ユーザに、低音域から高音域までの音声を違和感なく明瞭に聴かせることが可能になる。
【００４７】
筺体１１の回路ボックス３２には電子回路１５が内蔵されている。図９は、電子回路１５の主要部のブロック図である。電子回路１５は、コントローラ５０、信号処理部２０１、オーディオアンプ２０２、入力選択部５３、Ｂｌｕｅｔｏｏｔｈ（登録商標）通信回路５４、ケーブルコネクタ５５などを有している。
【００４８】
コントローラ５０は、マイコンで構成される。コントローラ５０には、赤外線リモコン（不図示）によって送信される赤外線信号を受光する受光回路４０が接続されている。受光回路４０は、受光した赤外線信号を電子信号に変換してコントローラ５０に入力する。コントローラ５０は、受光回路４０から入力された信号に基づいて、入力選択部５３における入力信号の選択、信号処理部５１における音質の調整、オーディオアンプ５２の音量の調整、および、Ｂｌｕｅｔｏｏｔｈ通信回路５４のオン／オフやパスワードの設定などを行う。
【００４９】
信号処理部２０１は、図５に示したものと同様の構成であり、入力選択部５３から入力された（２チャンネルステレオ）のオーディオ信号の音質を調整するとともに、左右チャンネルの信号から中音域の成分を取り出してこれを合成し、第３チャンネル（センタチャンネル）のオーディオ信号として出力する。また、スピーカ駆動部２０２は、図５に示したものと同様の構成であり、３チャンネルのアンプ２２６Ｌ，Ｒおよびアンプ２２９を有しており、それぞれ左チャンネル、右チャンネルおよび中音域のオーディオ信号を増幅し、増幅した信号をそれぞれスピーカユニット２１０Ｌ、Ｒおよびスピーカユニット２１１Ｃに出力する。
【００５０】
図８に示したように、スピーカ装置１が背面側を部屋の壁に向けて設置された場合、スピーカユニット２１０Ｌ，２１０Ｒから放音された音声は壁面で反射（主に高音域）される。これにより、スリムな筐体から放音された音声でも広がりを持った響きにすることができる。このとき、中音域の音声が含まれていると壁面での反射によって不明瞭になってしまうが、本願では中音域の音声はスピーカユニット２１１Ｃから前面方向に放音されるので、左右チャンネルの音声の全音域を広がり感を持たせて上で明瞭に響かせることができる。また、筐体１１の前面にスピーカユニットやスピーカグリルを設けていないので、前面側のデザインの自由度も高くなる。さらに、隣接する音域を１つのスピーカーユニットから出力していないので、高音域、中音域、低音域の独立したゲイン調整が可能となる。
【００５１】
なお、スピーカ装置１の筐体１１の形状は四角錐台形状に限るものではなく、円錐台形状、円柱状、多角柱状など概ね柱状であればよい。この実施形態のいずれの構成部も、本発明の趣旨を損なわない範囲で変形は自由である。
【符号の説明】
【００５２】
１、２００、２０５  スピーカ装置
１０  ヘッドピース
１１  筐体
１５  電子回路
２０、２１、２２  スピーカユニット
３０  中音域用スピーカボックス
３１  ステレオスピーカボックス
３２  回路ボックス
１０５  リフレクタ
２０１  信号処理部
２０２  スピーカ駆動部
【図１】
2015029163.tif 000003
【図２】
2015029163.tif 000004
【図３】
2015029163.tif 000005
【図４】
2015029163.tif 000006
【図５】
2015029163.tif 000007
【図６】
2015029163.tif 000008
【図７】
2015029163.tif 000009
【図８】
2015029163.tif 000010
【図９】
2015029163.tif 000011